(57)【特許請求の範囲】
【請求項１】
第１の方向から前記第１の方向とほぼ垂直な第２の方向までケーブルを経路付けるためのフィッティングであって、
前記ケーブル接触してそのため前記ケーブルを前記第１の方向から経路付けるように配置された内面を画定する壁部であって、前記内面の少なくとも一部が、前記第２の方向とほぼ平行な第１の軸に沿って湾曲している、壁部と、
前記ケーブル接触してそのため前記ケーブルを前記第２の方向に経路付けるように配置された上面を画定する床面であって、前記上面の少なくとも一部が、前記第１の軸とほぼ垂直な第２の軸に沿って湾曲している、床面と、
を備え、
第１の前記内面のうちの湾曲した部分が、前記床面の前記上面のうちの湾曲した部分と交差し、そのため、交差部分が前記第１の方向から前記第２の方向まで延びる連続的な湾曲線を画定し、
前記上面の前記部分の湾曲が、前記内面の前記部分の湾曲と前記交差部分の同じ位置を起点とすることを特徴とするフィッティング。
【請求項２】
前記上面の前記部分の湾曲が、前記交差部分の長さに沿って前記内面の前記部分の湾曲とほぼ一致することを特徴とする請求項１に記載のフィッティング。
【請求項３】
前記床面の前記上面から前記第１の軸と平行な方向で突出する第１のフィッティング壁部をさらに備えることを特徴とする請求項１に記載のフィッティング。
【請求項４】
前記第１のフィッティング壁部とは反対側にあり、前記第２の軸に関して前記第１のフィッティング壁部から前記床面の反対側に配置された第２のフィッティング壁部をさらに備えることを特徴とする請求項３に記載のフィッティング。
【請求項５】
トラフ壁部を有する水平トラフからケーブルを経路付けるためのスピルオーバーフィッティングであって、当該スピルオーバーフィッティングが、
平面的なフィッティング壁部と、
前記フィッティング壁部の底部から延びる湾曲した誘導壁部であって、当該スピルオーバーフィッティングを前記水平トラフに取り付けたときに、前記水平トラフにわたって全体的に上方にかつ隣接して位置付けられるように構成された、誘導壁部と、
前記フィッティング壁部に隣接して位置付けられ、湾曲した前記誘導壁部と交差する湾曲した床面であって、前記誘導壁部と前記床面との交差部分が、前記トラフ壁部の頂部を起点とする、床面と、
を備えることを特徴とするスピルオーバーフィッティング。
【請求項６】
前記誘導壁部と前記床面との交差部分が、捩れた湾曲部であることを特徴とする請求項５に記載のスピルオーバーフィッティング。
【請求項７】
前記フィッティング壁部とほぼ平行な別のフィッティング壁部と、
前記別のフィッティング壁部の底部から延びて湾曲した前記床面と交差する湾曲した別の誘導壁部であって、当該スピルオーバーフィッティングを前記水平トラフに取り付けたときに、前記水平トラフにわたって全体的に上方にかつ隣接して位置付けられるように構成された、別の誘導壁部と、
をさらに備え、
前記別の誘導壁部と前記床面との交差部分が、前記トラフ壁部の頂部を起点とすることを特徴とする請求項５に記載のスピルオーバーフィッティング。
【請求項８】
トラフ壁部を有する水平トラフにある第１の方向から前記第１の方向とほぼ垂直な第２の方向までケーブルを経路付けるためのフィッティングであって、当該フィッティングが、
前記ケーブル接触してそのため前記ケーブルを前記第１の方向から経路付けるように配置された内面を画定する壁部であって、前記内面の少なくとも一部が、前記第２の方向とほぼ平行な第１の軸に沿って湾曲している、壁部と、
前記ケーブル接触してそのため前記ケーブルを前記第２の方向に経路付けるように配置された上面を画定する床面であって、前記上面の少なくとも一部が、前記第１の軸とほぼ垂直な第２の軸に沿って湾曲している、床面と、
を備え、
前記内面のうちの湾曲した部分が、前記床面の前記上面のうち湾曲した部分と交差し、そのため、前記第１の方向から前記第２の方向まで延びる連続的な湾曲線を画定し、
前記上面のうちの前記湾曲した部分と前記内面のうちの前記湾曲した部分との交差部分が、前記トラフ壁部の頂部を起点とすることを特徴とするフィッティング。
【請求項９】
前記上面の前記部分の湾曲が、前記交差部分の長さに沿って前記内面の前記部分の湾曲とほぼ一致することを特徴とする請求項８に記載のフィッティング。
【請求項１０】
前記床面の前記上面から前記第１の軸と平行な方向で突出する第１のフィッティング壁部をさらに備えることを特徴とする請求項９に記載のフィッティング。
【請求項１１】
前記第１のフィッティング壁部とは反対側にあり、前記第２の軸に関して前記第１のフィッティング壁部から前記床面の反対側に配置された第２のフィッティング壁部をさらに備えることを特徴とする請求項１０に記載のフィッティング。
【発明の詳細な説明】
【技術分野】
【０００１】
本発明は、一般に、ケーブル管理に関し、より具体的には、レースウェイ、トラフまたは他のケーブル管理器具を使用した取り付けのような、現場の用途に用いられるスピルオーバーフィッティングに関する。
【背景技術】
【０００２】
ダクトおよびレースウェイの側壁から出る、またそれらの上方を通るケーブルを経路付けるのに役立つケーブル出口トラフまたはスピルオーバー装置は周知である。光ファイバケーブルを扱う際、スピルオーバーフィッティングが経路付けられるケーブルの曲げ半径の制御を提供すべきであることも周知である。従って、改善されたスピルオーバーフィッティングを有することが望ましい。
【発明の概要】
【課題を解決するための手段】
【０００３】
スピルオーバーフィッティングは、水平トラフからケーブルを経路付けるため、水平トラフ上に位置付けられる。スピルオーバーフィッティングは、フィッティング壁部およびフィッティング壁部の間に位置付けられた床面を有する。床面は、水平トラフ内へ延びる延長フランジを有する。スピルオーバーフィッティングは、延長フランジから延びる内蔵部材も有する。内蔵部材は、水平トラフから出てスピルオーバーフィッティングに経路付けられたケーブルを収容するため、水平トラフの上方に位置付けられる。
【図面の簡単な説明】
【０００４】
【図１Ａ】本発明によるスピルオーバーの正面斜視図である。
【図１Ｂ】図１Ａのスピルオーバーの分解斜視図である。
【図１Ｃ】図１Ａのスピルオーバーの内蔵部材の斜視図である。
【図１Ｄ】図１Ａのスピルオーバーの正面立面図である。
【図１Ｅ】水平トラフから出て経路付けられるケーブルを示す、図１Ａのスピルオーバーの正面立面図である。
【図１Ｆ】図１Ａのスピルオーバーの側面立面図である。
【図２Ａ】本発明によるスピルオーバーの代替的な実施形態の正面斜視図である。
【図２Ｂ】図２Ａのスピルオーバーの正面立面図である。
【図３Ａ】本発明によるスピルオーバーの別の代替的な実施形態の正面斜視図である。
【図３Ｂ】図３Ａのスピルオーバーの正面立面図である。
【図３Ｃ】図３Ａのスピルオーバーの内蔵部材の正面斜視図である。
【図４Ａ】本発明によるスピルオーバーの別の代替的な実施形態の正面斜視図である。
【図４Ｂ】図４Ａのスピルオーバーの正面立面図である。
【図４Ｃ】水平トラフから出て経路付けられるケーブルを示す、図４Ａのスピルオーバーの正面立面図である。
【発明を実施するための形態】
【０００５】
図１Ａ〜図１Ｆは、２×２インチの出口端寸法を有する、スピルオーバー１００の１つの実施形態を示す。スピルオーバー１００は、水平トラフ４０から経路付けられるケーブル３０の出口経路を画定する、２つの壁部１０５および床面１０６を有する。各壁部１０５は、水平トラフ４０の上方に配置されるように、そこから延びる湾曲した誘導壁部１０８を有し、水平トラフ４０から経路付けられるケーブル３０を制御し得る。誘導壁部１０８は、図１Ｅに示すように、水平トラフ４０の側壁の頂部より下方には延びない。床面１０６はまた、延長フランジ１１０を有する。
【０００６】
図１Ａ〜図１Ｆにも見られるように、スピルオーバー１００は、概ねＴ字形であり、第１の部分１２０および第２の部分１２５を持つ、内蔵部材１１５を有する。内蔵部材１１５は、スピルオーバー１００とは別に形成され、適切な手段により接続される。この実施形態では、内蔵部材１１５は、対応するスナップアーム１３５を係合させ、内蔵部材１１５をスピルオーバー１００の床面延長フランジ１１０に固定する、スナップ機構１３０を有する（図１Ｂ参照）。内蔵部材１１５は、スピルオーバー１００と一体構造に形成することができることも理解される。
【０００７】
内蔵部材１１５の第１の部分１２０は、床面延長フランジ１１０と垂直に、かつ床面延長フランジ１１０の中間点から延び、水平トラフ４０の上方に配置される。第１の部分１２０のいずれかの側を通ることによってスピルオーバーフィッティングに入る、あらゆるケーブルを保護するように、第１の部分１２０は丸みを帯びていることが好ましい。第２の部分１２５は、第１の部分１２０に垂直に、対向する方向に延びる一対のアームを有する。第２の部分１２５のそれぞれのアームは、図１Ｆに最もよく見られるように、壁部１０８に近接した、それぞれの遠位端部１４５において湾曲部１４０を有する。ケーブル３０が水平トラフ４０から出て、またスピルオーバー１００内へ容易に経路付けられ、それから本来の位置に戻ることができるように第２の部分１２５の２つのアームを屈折可能にするため、内蔵部材１１５は、プラスチックのような、柔軟性があり、さらに弾性のある素材で形成され、これによってスピルオーバー１００内へのケーブル３０の収容に役立つ。
【０００８】
図２Ａおよび図２Ｂは、４×４インチの出口寸法を有して示される、スピルオーバー２００の別の実施形態を開示する。スピルオーバー２００は、そのサイズおよび内蔵部材２１５の構成を除いて、スピルオーバー１００と同一である。この実施形態では、スピルオーバー２００のサイズのため、内蔵部材２１５は内蔵部材１１５より大きい。
【０００９】
図３Ａ〜図３Ｃは、スピルオーバー３００の別の実施形態を開示する。スピルオーバー３００は、内蔵部材３１５の構成を除いて、スピルオーバー２００と同一である。第１の部分３２０のいずれかの側を通るケーブルの曲げ半径の制御を最小にするため、この実施形態では、内蔵部材３１５の第１の部分３２０は、十分大きく、かつ適切な半径をもって形成される。
【００１０】
図４Ａ〜図４Ｃは、スピルオーバー４００の別の実施形態を開示する。スピルオーバー４００は、内蔵部材４１５の第１の部分（図示しないが、第１の部分２２０と同一）上にクリップ留めされた曲げ半径制御部材４５０が追加されていることを除いて、スピルオーバー２００と同一である。図４Ｂおよび図４Ｃに最もよく見られるように、曲げ半径制御部材４５０は、第１の概ね平坦な面４５５、および第１の面４５５の反対側に第２の湾曲した面４６０を有する。図４Ｃに示すように、ケーブル３０が、示されるように右側から水平トラフ４０を出てスピルオーバー４００に入るとき、第２の面４６０は、第２の面４６０に沿って経路付けられるケーブル３０の曲げ半径を制御する。示された曲げ半径制御部材４５０は、左右逆でも使用できるようにはなっていないが、必要に応じて逆でも使用できるようにする可能性があることが理解される。左側から水平トラフ４０を出るケーブル３０を制御するため、制御部材４５０の左右逆の構成を使用できる可能性がある。
【００１１】
本発明の例の前述の記載は、例示および説明の目的でなされたものであって、本発明の開示した詳細な形態を網羅するか、またはこれらに限定することを意図しない。この説明は、当業者が、企図された特定の用途に適するようになされる様々な実施形態および種々の改良において本発明を最良に利用することができるよう、本発明の原理およびその実際的応用を最もよく説明するために選択したものである。本発明の範囲は、本明細書によって限定されないことが意図される。
【符号の説明】
【００１２】
３０  ケーブル
４０  水平トラフ
１００  スピルオーバー
１０５  壁部
１０６  床面
１０８  誘導壁部
１１０  延長フランジ
１１５  内蔵部材
１２０  第１の部分
１２５  第２の部分
１３０  スナップ機構
１３５  スナップアーム
１４０  湾曲部
１４５  遠位端部
２００  スピルオーバー
２１５  内蔵部材
３００  スピルオーバー
３１５  内蔵部材
３２０  第１の部分
４００  スピルオーバー
４１５  内蔵部材
４５０  曲げ半径制御部材
４５５  第１の概ね平坦な面
４６０  第２の湾曲した面
【図１Ａ】
0005265021.tif 000002
【図１Ｂ】
0005265021.tif 000003
【図１Ｃ】
0005265021.tif 000004
【図１Ｄ】
0005265021.tif 000005
【図１Ｅ】
0005265021.tif 000006
【図１Ｆ】
0005265021.tif 000007
【図２Ａ】
0005265021.tif 000008
【図２Ｂ】
0005265021.tif 000009
【図３Ａ】
0005265021.tif 000010
【図３Ｂ】
0005265021.tif 000011
【図３Ｃ】
0005265021.tif 000012
【図４Ａ】
0005265021.tif 000013
【図４Ｂ】
0005265021.tif 000014
【図４Ｃ】
0005265021.tif 000015